【手続補正書】
【提出日】令和3年11月19日(2021.11.19)
【手続補正１】
【補正対象書類名】特許請求の範囲
【補正対象項目名】全文
【補正方法】変更
【補正の内容】
【特許請求の範囲】
【請求項１】
インプラント；および
該インプラントを受け入れるように構成された内部空間を画定するアタッチメント機構であって、該アタッチメント機構が該内部空間への通路を提供するように構成される開口部をさらに画定し、該開口部は、該インプラントが該内部空間内に配置されている場合に、該インプラントが該開口部を通じて該内部空間から出ることを防止するように閉鎖されるようにさらに構成されている、上記アタッチメント機構
を含む、腹壁により画定されるポケット内へと挿入されるように構成された埋め込みシステムであって、
該アタッチメント機構が、該ポケットを画定する腹壁の面へと固定されるように構成される、上記埋め込みシステム。
【請求項２】
前記インプラントが電源を含む、請求項1に記載の埋め込みシステム。
【請求項３】
電極および電気ケーブルをさらに含み、該電気ケーブルが、該電極へと前記電源から電力を送達するように構成される、請求項2に記載の埋め込みシステム。
【請求項４】
前記アタッチメント機構が、前記インプラントが前記開口部を通じて前記内部空間から出ることを防止しながら、該内部空間から前記電気ケーブルが出るための経路を提供するようにさらに構成される、請求項3に記載の埋め込みシステム。
【請求項５】
前記アタッチメント機構がメッシュ体を含む、請求項1〜4のいずれか1項に記載の埋め込みシステム。
【請求項６】
前記インプラントがアンテナを含み、かつ該アンテナが、該インプラントからは遠隔にある受信機へとデータを送信するように構成される、請求項1〜5のいずれか1項に記載の埋め込みシステム。
【請求項７】
前記アンテナが、前記インプラントからは遠隔にある受信機からデータを受信するように構成される、請求項6に記載の埋め込みシステム。
【請求項８】
前記インプラントがアンテナを含み、かつ該アンテナが、該インプラントからは遠隔にある受信機からデータを受信するように構成される、請求項1〜5のいずれか1項に記載の埋め込みシステム。
【請求項９】
前記インプラントが、電力を受け取るためのアンテナを含み、かつ該アンテナが、該インプラントを再充電するために、該インプラントからは遠隔にある電力供給源から電力を受け取るように構成される、請求項1〜8のいずれか1項に記載の埋め込みシステム。
【請求項１０】
前記インプラントが、腹腔鏡下に、ロボット制御により、または開腹手術を介して挿入されるように構成される、請求項1〜9のいずれか1項に記載の埋め込みシステム。
【請求項１１】
前記アタッチメント機構が、少なくとも1個の縫合タブを含み、各縫合タブが、好ましくは、それを通った縫合糸を受け止めるための少なくとも1箇所の縫合穴を含む、請求項1〜10のいずれか1項に記載の埋め込みシステム。
【請求項１２】
4個の縫合タブおよび/または4箇所の縫合穴をさらに含む、請求項11に記載の埋め込みシステム。
【請求項１３】
各縫合タブが、前記インプラントの本体を越えて延伸し、かつ/または該インプラントの先端もしくは外周縁に配置される、請求項11または12に記載の埋め込みシステム。
【請求項１４】
前記インプラントの先端または外周縁の周囲に等間隔に配置される複数の縫合タブを含む、請求項11〜13のいずれか1項に記載の埋め込みシステム。
【請求項１５】
腹腔内に配置された器具を用いて腹壁に切開部を作製するステップ；
腹壁の第1の面と腹壁の第2の面との間にポケットを形成し、該切開部が該ポケットへの開口部を画定するようにするステップ；
該開口部を通じて、該ポケット内へとインプラントを挿入するステップ；および
該ポケット内に該インプラントが捕捉されるように、該開口部を閉鎖するステップ
を含む、インプラントを挿入する方法に使用するための、請求項1〜14のいずれか1項に記載の埋め込みシステム。
【請求項１６】
腹腔が鎌状靭帯を含み、前記切開部を作製するステップが、鎌状靭帯が腹壁に結合する領域に前記切開部を作製するステップを含む、請求項15に記載の埋め込みシステム。
【請求項１７】
腹壁が前部を含み、かつ前記領域が、腹壁の該前部に鎌状靭帯が結合する部位を含む、請求項16に記載の埋め込みシステム。
【請求項１８】
前記ポケットを形成するステップが、腹壁の前記第1の面に対して腹壁の前記第2の面を移動させるステップを含む、請求項15〜17のいずれか1項に記載の埋め込みシステム。
【請求項１９】
前記ポケットを形成するステップが、該ポケット内の前記第1の面と前記第2の面との間に位置する組織を移動させるステップを含む、請求項15〜18のいずれか1項に記載の埋め込みシステム。
【請求項２０】
前記ポケットを形成するステップが、該ポケットから、前記第1の面と前記第2の面との間に位置する組織を除去するステップを含む、請求項15〜19のいずれか1項に記載の埋め込みシステム。
【請求項２１】
前記方法が、前記第1の面および前記第2の面のうちの少なくとも一方に対して前記インプラントを固定するステップをさらに含む、請求項15〜20のいずれか1項に記載の埋め込みシステム。
【請求項２２】
前記第1の面および前記第2の面のうちの少なくとも一方に対して前記インプラントを固定するステップが、該第1の面および該第2の面のうちの少なくとも一方に対して該インプラントを縫合するか、鋲留めするか、接着するか、凝固させるか、またはそれらのいずれかの組み合わせを行うステップを含む、請求項21に記載の埋め込みシステム。
【請求項２３】
前記方法が、アタッチメント機構に対して前記インプラントを固定するステップをさらに含む、請求項15〜20のいずれか1項に記載の埋め込みシステム。
【請求項２４】
前記方法が、
前記開口部を通じて、前記内部空間へと前記インプラントを移動させるステップ；および
該開口部を通じて該インプラントが該内部空間から出ることを防止するように、該開口部のサイズを減少させるステップ
をさらに含む、請求項23に記載の埋め込みシステム。
【請求項２５】
前記方法が、前記第1の面および前記第2の面のうちの少なくとも一方に対して前記アタッチメント機構を固定するステップをさらに含む、請求項23または24に記載の埋め込みシステム。
【請求項２６】
前記第1の面および前記第2の面のうちの少なくとも一方に対して前記アタッチメント機構を固定するステップが、該第1の面および該第2の面のうちの少なくとも一方に対して該アタッチメント機構を縫合するか、鋲留めするか、接着するか、またはそれらのいずれかの組み合わせを行うステップを含む、請求項25に記載の埋め込みシステム。
【請求項２７】
前記方法が、生物学的構造に電極を取り付けるステップ；および該電極に前記インプラントの電源を接続するステップをさらに含む、請求項15〜26のいずれか1項に記載の埋め込みシステム。
【請求項２８】
前記接続ステップが、前記電源および前記電極の両方に電気ケーブルを電気的に連結するステップを含む、請求項27に記載の埋め込みシステム。
【請求項２９】
前記閉鎖ステップが、前記電気ケーブルが前記ポケットから出るための経路を画定するステップを含む、請求項28に記載の埋め込みシステム。
【請求項３０】
前記方法が、前記電源から遠隔にある電力供給源から該電源に電力を伝送するステップをさらに含む、請求項27〜29のいずれか1項に記載の埋め込みシステム。
【請求項３１】
前記伝送ステップが、腹壁の皮膚、および任意により、皮下組織、腹直筋鞘前葉、腹直筋、腹直筋鞘後葉、および、鎌状靭帯の腹膜面と、腹直筋鞘後葉と、斜紋筋層の腱膜と、腹横筋との間に位置する組織のうちの1種、一部または全部が、前記電力供給源と前記電源との間にあるように位置付けられた該電力供給源から、該電源へと電力を伝送することを含む、請求項30に記載の埋め込みシステム。
【手続補正２】
【補正対象書類名】明細書
【補正対象項目名】００４２
【補正方法】変更
【補正の内容】
【００４２】
8. 前記第1の面および前記第2の面のうちの少なくとも一方に対して前記インプラントを固定するステップが、該第1の面および該第2の面のうちの少なくとも一方に対して該インプラントを縫合するか、鋲留めするか、接着するか、凝固させるか、またはそれらのいずれかの組み合わせを行うステップを含む、いずれかの先行する実施形態の方法。
【手続補正３】
【補正対象書類名】明細書
【補正対象項目名】００５２
【補正方法】変更
【補正の内容】
【００５２】
18. (i)前記伝送ステップが、腹壁の皮膚、および任意により、皮下組織、腹直筋鞘前葉、腹直筋（rectus abdominus muscle）、腹直筋鞘後葉、および鎌状靭帯の腹膜面と腹直筋鞘後葉との間に位置する組織のうちの1種、一部または全部が、前記電力供給源と前記電源との間にあるように位置付けられた該電力供給源から、該電源へと電力を伝送することを含む、いずれかの先行する実施形態の方法、または(ii)前記伝送ステップが、腹壁の皮膚、および任意により、皮下組織、腹直筋鞘前葉、腹直筋、腹直筋鞘後葉、および、鎌状靭帯の腹膜面と、腹直筋鞘後葉と、斜紋筋層の腱膜と、腹横筋との間に位置する組織のうちの1種、一部または全部が、前記電力供給源と前記電源との間にあるように位置付けられた該電力供給源から、該電源へと電力を伝送することを含む、いずれかの先行する実施形態の方法。
【手続補正４】
【補正対象書類名】明細書
【補正対象項目名】００６２
【補正方法】変更
【補正の内容】
【００６２】
28. 前記インプラントが、腹腔鏡下に、ロボット制御により、または開腹手術を介して挿入されるように構成される、実施形態19〜27のいずれか1つの埋め込みシステム。
29. 前記アタッチメント機構が、少なくとも1個の縫合タブを含み、各縫合タブが、好ましくは、それを通った縫合糸を受け止めるための少なくとも1箇所の縫合穴を含む、実施形態19〜28のいずれか1つの埋め込みシステム。
30. 4個の縫合タブおよび/または4箇所の縫合穴をさらに含む、実施形態29の埋め込みシステム。
31. 各縫合タブが、前記インプラントの本体を越えて延伸し、かつ/または該インプラントの先端もしくは外周縁に配置される、実施形態29または30の埋め込みシステム。
32. 前記インプラントの先端または外周縁の周囲に等間隔に配置される複数の縫合タブを含む、実施形態29〜31のいずれか1つの埋め込みシステム。